(57)【要約】      （修正有）【課題】簡単な用具で簡便にゆで卵のみじん切りができる網状ゆで卵みじん切り器具を提供する。【解決手段】ゆで卵１０を収容する細長で両端が閉じられ、いずれか一方の端部の側面に開口部２ａを有する網袋２と、網袋内に収容されたゆで卵に網袋の網を押込んで網袋の網目からゆで卵のみじん切りを取り出すための押込・絞り具３とで構成されてなる。【選択図】図２
0003176339.tif 000002
【実用新案登録請求の範囲】
【請求項１】
ゆで卵を収容する網袋と、
前記網袋内に収容されたゆで卵に網袋の網を押込んで前記網袋の網目からゆで卵のみじん切りを取り出すための押込・絞り具とで
構成されてなることを特徴とする網状ゆで卵みじん切り器具。
【請求項２】
前記網袋が、細長で両端が閉じられてなり、かつ、いずれか一方の端部の近傍にゆで卵を挿入する開口部が設けられてなることを特徴とする請求項１に記載の網状ゆで卵みじん切り器具。
【請求項３】
前記網袋が、ゆで卵のみじん切りに適合した網目寸法を有してなることを特徴とする請求項１又は２に記載の網状ゆで卵みじん切り器具。
【請求項４】
前記網袋が、ナイロン、塩化ビニール等の柔軟で強靱な樹脂製であることを特徴とする請求項１〜３のいずれか１項に記載の網状ゆで卵みじん切り器具。
【請求項５】
前記押込・絞り具が、中心に、集束された網袋が挿入される小孔を有する円板や、円板の縁に凹凸を設けて花型とした樹脂製のものであって、前記小孔で集束された網袋の外周を囲繞するようにして装着され、かつ前記網袋の端末に押込・絞り具が網袋から脱落するのを防止する脱落防止用部材が倦着されてなることを特徴とする請求項１に記載の網状ゆで卵みじん切り器具。
【考案の詳細な説明】
【技術分野】
【０００１】
本考案は、容易にゆで卵をみじん切りにできる網状のゆで卵みじん切り器具に関するものである。
【背景技術】
【０００２】
まな板上のゆで卵を包丁によってみじん切りするには手間がかかり、卵の黄身がまな板についてとれにくくなることから、これまでにも包丁とまな板を使わないで卵をみじん切りにする器具の発明・考案がいくつか公開されている。
例えば特開２００５−５９１９３号公報に記載の「卵のみじん切り器」は、「枠に複数の細い切り刃を有する卵きり刃物が２個と、底から突出した多数の保持突起により卵を保持する卵保持部とから成る卵みじん切り器であり、かつ前記卵保持部の保持突起は保持突起間に前記卵切り刃物の細い切り刃を縦方向にも横方向にも通す間隙を有する構成（請求項１）」としたものであり、これに類したものとして特開２０１１−２３４８１５号公報や特開２００６−１７５５２９号公報等が見られる。
【０００３】
また、実開平６−３６５３９号公報には、「切断片固定軸の上部に柄体を設け、その切断片固定軸の下部に数条の切断片を装着した卵みじん切り器（請求項の範囲）」が開示され、「柄を握り、器の中に入れたゆで卵の上から数回圧力を加える。すると、切断片がゆで卵を切断し、みじん切りができる。」と記載されている。
【先行技術文献】
【特許文献】
【０００４】
【特許文献１】特開２００５−５９１９３号公報
【特許文献２】特開２０１１−２３４８１５号公報
【特許文献３】特開２００６−１７５５２９号公報
【特許文献４】実開平６−３６５３９号公報
【考案の概要】
【考案が解決しようとする課題】
【０００５】
特許文献１のようにゆで卵を縦方向横方向に切断したのでは細長いものができるだけでみじん切りにはならない。
そこで特許文献１では、明細書の段落［０００５］において、その使用方法として
「‥‥‥卵（断わりがない限り全て茹で卵とする）を卵保持部２にその長い方向をｙ−ｙ′方向に向けて置き、卵切り刃物５により図２（イ）の如く切断する。
次いで卵が崩れない様に人差し指と親指とで挟んで他方の手の掌に移し、卵切り刃物５を持ち上げた後に卵を図２（イ）において矢印の如く９０°回転させて（卵の長い方向を中心軸として回転）、図２（ロ）の如く卵保持部２に置く。‥‥‥‥
そして図２（ハ）の如く卵切り刃物５により卵を切断した後に、図２（ニ）の如く卵切り刃物８により卵を切断すれば、みじん切りが達成される‥‥‥」
と記載しており、一度縦方向に輪切りにされたゆで卵を崩れないようにして卵保持部から取り出し、９０度回転させて前記卵保持部に再度載置するという一手間をかけた後にさらに縦方向と横方向に切断してみじん切りにするとしている。
しかし、薄く輪切りにされたゆで卵を崩れないようにして取り出し、回転し、再載置するのは、それれなりの緊張を伴い集中して行う必要がある。
【０００６】
特許文献２の考案のように、柄を握り器の中に入れたゆで卵の上から数回圧力を加えるものでは、最初に圧力を加える際には、ゆで卵の真上から圧力を加えなければ、ゆで卵が脇に移動して切断できないことが起こり得るし、それなりの力を必要とする問題も生じる。これに対してはゆで卵を半裁して脇に移動し難くしておくことも考えられるが、このために包丁を使うという一手間がかかることになる。
【０００７】
本考案は、上記背景技術の問題点に鑑みてなされたもので、ゆで卵をみじん切りにするのに縦方向に輪切りにしたものを９０度回転させるとか、ゆで卵を半裁にするなどといった一手間をも省いて、簡単な器具で簡便にゆで卵のみじん切りができる網状ゆで卵みじん切り器具を提供することを課題とする。
【課題を解決するための手段】
【０００８】
本考案者は、上記課題を次の手段によって解決した。
（１）ゆで卵を収容する網袋と、
前記網袋内に収容されたゆで卵に網袋の網を押込んで前記網袋の網目からゆで卵のみじん切りを取り出すための押込・絞り具とで
構成されてなることを特徴とする網状ゆで卵みじん切り器具。
（２）前記網袋が、細長で両端が閉じられてなり、かつ、いずれか一方の端部の近傍にゆで卵を挿入する開口部が設けられてなることを特徴とする請求項１に記載の網状ゆで卵みじん切り器具。
（３）前記網袋が、ゆで卵のみじん切りに適合した網目寸法を有してなることを特徴とする前項（１）又は（２）に記載の網状ゆで卵みじん切り器具。
（４）前記網袋が、ナイロン、塩化ビニール等の軟質で強靱な樹脂製であることを特徴とする前項（１）〜（３）のいずれか１項に記載の網状ゆで卵みじん切り器具。
（５）中心に、集束された網袋が挿入される小孔を有する円板や、円板の縁に凹凸を設けて花型とした樹脂製のものであって、前記小孔が集束された網袋の外周を囲繞するように装着され、かつ前記網袋の端末に押込・絞り具が網袋から脱落するのを防止する脱落防止用部材が倦着されてなることを特徴とする前項（１）に記載の網状ゆで卵みじん切り器具。
【考案の効果】
【０００９】
本考案の網状ゆで卵みじん切り器具によって下記の効果が発揮される。
〈１〉ゆで卵を収容する網袋と、前記網袋内に収容されたゆで卵に網袋の網を押込んで、前記網袋の網目からゆで卵のみじん切りを取り出すための押込・絞り具とで構成されているので、網袋内に収容したゆで卵を、集束された網袋の外周に囲繞するようにして装着された前記押込・絞り具によって網袋の網を押込むといった簡便な方法によって、前記網がゆで卵に食い込んで切断するため、網袋の網目からゆで卵のみじん切りを容易に取り出すことができる。
〈２〉前記網袋が、細長で両端が閉じられ、そしていずれか一方の端部の近傍にゆで卵を挿入する開口部が設けられてなり、かつ、集束された網袋の外周に囲繞するように装着された該押込・絞り具が網袋から脱落するのを防止するために、前記網袋の両端に脱落防止用部材が倦着されているので、器具としての一体化が図れられ、使用後の洗浄も容易な使い勝手のよい器具が極めて廉価で提供できる。
〈３〉前記網袋が、ゆで卵のみじん切りに適合した網目寸法を有しているので、均一な形状のゆで卵みじん切りが得られる。
また、網目寸法を異にする網状ゆで卵みじん切り器具を用意することによって、用途に応じた形状寸法のゆで卵のみじん切りが容易に得られる。
〈４〉前記網袋が、ナイロン、塩化ビニール等の柔軟で強靱な樹脂製であるので取り扱いやすく、使用後の洗浄や収納も容易である。
〈５〉前記押込・絞り具が、中心に、集束された網袋が挿入される小孔を有する円板や、円板の縁に凹凸を設けて花型とした樹脂製のものなので、その板体の裏面に拳を当てて押し出せることから、力が入れやすく、ゆで卵を網袋の網目に押し込みやすく、また樹脂製であるため多様な色彩のものが製造でき、特に花型としたものはデザイン性に富んだものとなる。
〈６〉前記押込・絞り具が、中心に、集束された網袋が挿入される小孔を有する円板や、円板の縁に凹凸を設けて花型とした樹脂製のものであって、前記小孔で集束された網袋の外周を囲繞するようにして装着され、かつ前記網袋の端末に押込・絞り具が網袋から脱落するのを防止する脱落防止用部材が倦着されているので、使用の都度網袋に押込・絞り具を装着する必要がないため押込・絞り具を紛失するおそれがなく、操作の容易さと相まって使用勝手のよいゆで卵みじん切り器具が提供できる。
【図面の簡単な説明】
【００１０】
【図１】網状ゆで卵みじん切り器具構成要素の斜視図
【図２】網状ゆで卵みじん切り器具にゆで卵を挿入した状態の斜視図
【図３】網状ゆで卵みじん切り器具に収容されたゆで卵に押込・絞り具によって網袋の網を押込んだ状態の斜視明図
【考案を実施するための形態】
【００１１】
本考案の網状ゆで卵みじん切り器具を実施するための形態を実施例の図に基づいて説明する。
図１は網状ゆで卵みじん切り器具の斜視図、図２は網状ゆで卵みじん切り器具にゆで卵を挿入した状態の斜視図、図３網状ゆで卵みじん切り器具に収容されたゆで卵に押込・絞り具によって網袋の網を押込んだ状態の斜視明図である。
図において１は網状ゆで卵みじん切り器具、２は網袋  ２ａは開口部、３は押込・絞り具、４は脱落防止用部材、１０はゆで卵を示す。
本考案の網状ゆで卵みじん切り器具１は、図１に示すように、ゆで卵１０を収容する網袋２と、前記網袋２内に収容されたゆで卵に網袋の網を押込んで前記網袋２の網目からゆで卵のみじん切りを取り出すための押込・絞り具３とで構成されている。
そして、前記網袋２は、細長で両端が閉じられ、いずれか一方の端部の近傍にゆで卵を網袋２内に挿入する開口部２ａが設けられており、かつ、ゆで卵１０のみじん切りに適合した網目寸法と、網袋２の網を絞ることによってゆで卵１０に食い込んで切断する強度とを有するもので、素材としてはナイロンや塩化ビニール等の軟質で強靱な樹脂が望ましい。
さらに、前記網袋２の端末には、集束された網袋２の外周に囲繞するようにして装着された押込・絞り具３が網袋２の端部から抜け落ちないように脱落防止用部材が倦着されている。
一方、前記押込・絞り具３は、中心に、集束された網袋が挿入される小孔を有する円板や、円板の縁に凹凸を設けて花型としたものであって、前記小孔で集束された網袋２の外周を囲繞するようにして装着できるよう形成されている。そして、素材としては網袋２が樹脂製であることを考慮すれば、前記押込・絞り具３も樹脂製であることが望ましい。
【００１２】
本考案の網状ゆで卵みじん切り器具１を使用してゆで卵１０のみじん切りを作る方法について、図１〜図３に基づいて説明する。
ａ．まず、押込・絞り具３を、網袋２の開口部２ａが設けられた側の網袋２の端末に倦着された脱落防止用部材に当接する位置まで移動する（図１参照）。
ｂ．網袋２の開口部２ａを開き、ゆで卵１０を前記網袋２内に収容する。
ｃ．前記押込・絞り具３の小孔から突出した網袋２の端末を片手で掴み、もう一方の手で前記押込・絞り具３を押して、ゆで卵１０を網袋２の閉じられた開口部２ａが存在しない側の端末に移動させる（図２参照）。
なお、この際、前記押込・絞り具３、又は押込・絞り具３の小孔から突出した網袋２の端末を持ってぶら下げ、網袋２内に収容されたゆで卵１０の自重で移動させることであってもよい。
ｄ．網袋２から取り出されるゆで卵１０のみじん切りの受け皿を用意し、該受け皿の上で、前記押込・絞り具３をさらに力強く押し込み（図３参照）、ゆで卵１０の先端部や側面に、前記網袋２の網目が食い込むようして、前記網目からゆで卵のみじん切りを取り出す。
【００１３】
本ゆで卵みじん切り器具１の押込・絞り具３は、中心に、集束された網袋が挿入される小孔を有する円板や、円板の縁に凹凸を設けて花型としたものなので、その板体の裏面に拳を当てて押し出せることから、力が入れやすくゆで卵１０を網袋２の網目に押し込みやすく、また樹脂製であるため多様な色彩のものが製造でき、特に花型としたものはデザイン性に富み、商品価値も高いものとなる。
また押込・絞り具３にはこれ以外の多様な形状のもの、例えば、リング、円筒、円錐台筒形状のものが使われてよい。
【符号の説明】
【００１４】
１：網状ゆで卵みじん切り器具
２：網袋
２ａ：開口部
３：押込・絞り具
４：脱落防止用部材
１０：ゆで卵
【図１】
0003176339.tif 000003
【図２】
0003176339.tif 000004
【図３】
0003176339.tif 000005